(57)【要約】      （修正有）【課題】端子配列が狭ピッチの場合でも装着を容易に行え、しかもより高精度な整列を各端子の先端部に与えることができるようにする。【解決手段】基板用コネクタ２に所定配列されている端子１２それぞれの先端部を拘束する拘束開口２６を端子の配列に応じた配列でプレート表面２１に有し、プレート裏面２２の側には、プレート裏面に向けて拡径するように傾斜させられたテーパ面３３を有してプレート裏面に拾い開口３４を開口させるように形成され、基板用コネクタへの装着に際して端子の先端部を拾い開口から拾い入れるとともにテーパ面で所定の方向に導くことができるようにされた拾い部２８が設けられ、また拾い部に連通するとともに拘束開口に連通するように形成され、拾い部で拾い入れて導かれた端子の先端部を密接状態で受け入れることで当該先端部の位置を矯正しつつ拘束開口による拘束を与えるようにされた矯正部２９が設けられている。【選択図】図６
2009104961.tif 000002
【特許請求の範囲】
【請求項１】
プレート表面とプレート裏面を有する平板状に形成され、装着対象の電気的接続用部品に所定の配列で設けられている複数の通電用端子それぞれの先端部を拘束する拘束開口を前記端子の配列に応じた配列で前記プレート表面側に有し、前記電気的接続用部品に装着されることにより、前記各拘束開口にて前記各端子の先端部を拘束することで整列させるのに用いられるアライニングプレートにおいて、
前記プレート表面側から前記プレート裏面に向けて拡径するように傾斜させられたテーパ面を有して前記プレート裏面に拾い開口を開口させるように形成され、前記電気的接続用部品への装着に際して前記端子の先端部を前記拾い開口から拾い入れるとともに前記テーパ面で所定の方向に導くことができるようにされた拾い部が設けられ、また前記拾い部に連通するとともに前記拘束開口に連通するように形成され、前記拾い部で拾い入れて導かれた前記端子の先端部を密接状態で受け入れることで当該先端部の位置を矯正しつつ前記拘束開口による拘束を与えるようにされた矯正部が設けられていることを特徴とするアライニングプレート。
【発明の詳細な説明】
【技術分野】
【０００１】
本発明は、電気的接続用部品に所定の配列で設けられている複数の通電用端子について、それら各端子の先端部を拘束することで整列させるのに用いられるアライニングプレートに関する。
【背景技術】
【０００２】
電気的接続用部品、例えば基板用コネクタでは、それに組みつけられる基板におけるスルーホールの配列に応じた配列で複数のピン状の通電用端子を配列させた端子群が設けられており、その端子群における各端子の先端部を基板の各スルーホールに挿通させて基板に対する電気的接続をなすようにされている。
【０００３】
こうした基板用コネクタでは、基板の各スルーホールへの各端子の挿通を容易になせることが望まれ、それについては、各端子の先端部の配列を基板におけるスルーホールの配列に精度良く対応させるよう適切に整列させることが有効である。
【０００４】
端子の先端部を整列させる手法の一つとしてアライニングプレートを用いるアライニングプレート法がある。アライニングプレートは、一般的に、プレート表面とプレート裏面を有する平板状に形成されており、端子の先端部を拘束する拘束開口を端子の配列に応じた配列でプレート表面側に有している。そして基板用コネクタに装着されることにより、各拘束開口にて各端子の先端部を拘束することで各端子の先端部を整列させるようになっている。こうしたアライニングプレート法については例えば特許文献１や特許文献２に開示の例が知られている。
【０００５】
【特許文献１】特開２００３−２７２７５１号公報
【特許文献２】特開平１１−１１７６５３３号公報
【発明の開示】
【発明が解決しようとする課題】
【０００６】
上述のようなアライニングプレート法には、端子群における端子の配列間隔が狭くなる狭ピッチ化が進むのに伴って解決すべき課題を生じている。その１つは、狭ピッチ化によりアライニングプレートの電気的接続用部品への装着が難しくなって装着作業により多くの時間を要するようになるという問題であり、他の１つは、狭ピッチ化に伴って端子先端部の整列により高い精度が求められるということである。
【０００７】
本発明は、こうした事情を背景になされたものであり、その課題は、装着対象の電気的接続用部品における端子群が狭ピッチである場合でも装着を容易に行え、しかもより高精度な整列を各端子の先端部に与えることを可能とするアライニングプレートを提供することにある。
【課題を解決するための手段】
【０００８】
本発明では上記課題を解決するために、プレート表面とプレート裏面を有する平板状に形成され、装着対象の電気的接続用部品に所定の配列で設けられている複数の通電用端子それぞれの先端部を拘束する拘束開口を前記端子の配列に応じた配列で前記プレート表面側に有し、前記電気的接続用部品に装着されることにより、前記各拘束開口にて前記各端子の先端部を拘束することで整列させるのに用いられるアライニングプレートにおいて、前記プレート表面側から前記プレート裏面に向けて拡径するように傾斜させられたテーパ面を有して前記プレート裏面に拾い開口を開口させるように形成され、前記電気的接続用部品への装着に際して前記端子の先端部を前記拾い開口から拾い入れるとともに前記テーパ面で所定の方向に導くことができるようにされた拾い部が設けられ、また前記拾い部に連通するとともに前記拘束開口に連通するように形成され、前記拾い部で拾い入れて導かれた前記端子の先端部を密接状態で受け入れることで当該先端部の位置を矯正しつつ前記拘束開口による拘束を与えるようにされた矯正部が設けられていることを特徴としている。
【０００９】
このようなアライニングプレートでは、拾い部に加えて矯正部が設けられていることから、端子の先端部を拾い部で拾い入れて導きつつ矯正部に入り込ませ、その矯正部に入り込ませた状態で拘束開口に挿通させることができる。このため、端子群が狭ピッチであるために端子群における各端子の先端部の配列のばらつきが端子配列間隔との関係で相対的に大きくなっている場合でも拾い部による拾い入れを行い易くなり、このことで装着を容易に行えるようになる。また、拾い部とは別に設けてある矯正部により端子の先端部の位置を矯正することができるので、より精度の高い整列を各端子の先端部に与えることができる。
【発明の効果】
【００１０】
以上のような本発明によれば、装着対象の電気的接続用部品における端子群が狭ピッチである場合でも装着を容易に行え、しかもより高精度な整列を各端子の先端部に与えることが可能となる。
【発明を実施するための最良の形態】
【００１１】
以下、本発明を実施するための形態について説明する。図１〜図３に、一実施形態によるアライニングプレート１を適用した基板用コネクタ２の構成を示す。基板用コネクタ２は、ケース３にコネクタ部４を設けた構成とされている。
【００１２】
ケース３は、上面側が開放された平たい函状に形成され、上面側の４隅に設けられている取付け孔５を用いて図外の基板を取り付けることができるようにされている。またケース３は、これに装着したアライニングプレート１を固定するための要素が設けられている。具体的には、ケース３の１つの側壁をコネクタ部用側壁６とし、このコネクタ部用側壁６に交差する側壁それぞれの上端に圧入部受け部７がアライニングプレート１の固定用要素の１つとして設けられ、またコネクタ部用側壁６の中央でコネクタ部用側壁６から内側に向けて突設した中央部支持台８に形成した圧入突起受け孔９（図６参照）がアライニングプレート１の固定用要素の他の１つとして設けられている。
【００１３】
コネクタ部４は、コネクタ部用側壁６に設けられており、端子群１１が配されている。端子群１１は、上記基板におけるスルーホールの配列に応じた配列で複数の通電用の端子１２を配列させて形成されており、それぞれ複数の端子１２を直線的に配列してなる複数の端子列１３（第１端子列１３ａ、第２端子列１３ｂ、第３端子列１３ｃ、第４端子列１３ｄ）（図３参照）を並列的に配した構成とされている。端子１２は、図３に示すように、ピン状に形成され、基板用コネクタ２の接続相手となる図外の雌型コネクタの雌型端子に接続するコネクタ側接続部１４と上記基板のスルーホールに挿通して当該基板に対し接続する基板側接続部１５を有し、コネクタ側接続部１４と基板側接続部１５が９０度（設計上９０度）となるようにＬ字形に曲げられている。
【００１４】
またコネクタ部４は、上記雌型コネクタの挿入を受け入れるためにコネクタ部用側壁６から外側に向けて突設されたコネクタ部ハウジング１６を有している。そしてコネクタ側接続部１４は、このコネクタ部ハウジング１６に収まるようにされている。一方、基板側接続部１５は、ケース３の内部でコネクタ部用側壁６に沿うようにされ、コネクタ部用側壁６に対して第１端子列１３ａが最も近く、第４端子列１３ｄが最も遠くなるようされている。
【００１５】
こうしたコネクタ部４における端子群１１は、アライニングプレート１をケース３に装着することで、各端子１２の基板側接続部１５の先端部を上記基板におけるスルーホールの配列に精度良く対応させるよう整列させられている。
【００１６】
アライニングプレート１は、図４〜図６に示すように、プレート表面２１とプレート裏面２２を有する平板状に形成されるとともに、端子群１１の形状に応じて細長い形状となるように形成され、その長手方向の両端部に、そこから上記長手方向に突出する状態にして端部固定用の圧入部２３が設けられ、また長手方向の中央部に、中央部固定用の圧入突起２４がプレート裏面２２から突出するようにして設けられている。
【００１７】
またアライニングプレート１は、拾い部開口２５と拘束開口２６からなるプレート表面開口２７がプレート表面側に設けられるとともに、拾い部開口２５に位置対応させた拾い部２８と拘束開口２６に位置対応させた矯正部２９からなる拾い／矯正部３０がプレート裏面側に設けられている。プレート表面開口２７は、端子群１１における端子１２の配列、より具体的には上記基板におけるスルーホールの配列に対応した配列で配列されている。したがってプレート表面開口２７は、端子群１１における端子列１３に対応して、それぞれ複数のプレート表面開口２７を直線的に配列してなる複数の開口列３１（第１開口列３１ａ、第２開口列３１ｂ、第３開口列３１ｃ、第４開口列３１ｄ）を形成するようにして配列されており、これに応じて拾い／矯正部３０も複数の拾い／矯正部列３２（第１拾い／矯正部列３２ａ、第２拾い／矯正部列３２ｂ、第３拾い／矯正部列３２ｃ、第４拾い／矯正部列３２ｄ）を形成するようにして配列されている。
【００１８】
拾い部２８は、プレート裏面２２に向けて拡径するように傾斜させられたテーパ面３３を有し、プレート裏面２２に拾い開口３４を開口させるテーパ形の凹部として形成され、そのプレート表面側の端にプレート表面２１まで貫通する貫通孔３５が連通させられ、この貫通孔３５のプレート表面側の端が拾い部開口２５となるようにされている。
【００１９】
矯正部２９は、端子１２の基板側接続部１５の先端部を密接状態で受け入れることができる内法サイズとした溝状に形成され、プレート裏面２２からプレート表面２１にわたって延在するようにされることで拘束開口２６に連通するようにされている。つまり矯正部２９は、そのプレート表面側の端が拘束開口２６となるようにされている。
【００２０】
ここで、拾い／矯正部３０における拾い部２８と矯正部２９の位置関係（これは、プレート表面開口２７における拾い部開口２５と拘束開口２６の位置関係でもある）は、拾い／矯正部列３２の並び方向（これは端子１２の曲げ方向に対応する）で拾い部２８と矯正部２９が並ぶ位置関係とされている。
【００２１】
以下では、アライニングプレート１の基板用コネクタ２への装着について説明する。アライニングプレート１を基板用コネクタ２に装着するには、図７に示すように、まずアライニングプレート１を端子群１１における端子先端配列面に対して斜めにした状態、より具体的には第４端子列１３ｄに対面する側が第１端子列１３ａに対面する側よりも端子群１１に近接する傾斜状態にしてアライニングプレート１を端子群１１に対面させ、この状態で拾い開口３４から拾い部２８に端子１２の先端部を拾い入れさせる。
【００２２】
次いで、図８に示すように、拾い開口３４から拾い部２８に端子１２の先端部を拾い入れているアライニングプレート１を上記傾斜状態のままで端子群１１に押し付けるようにし、これにより拾い部２８のテーパ面３３で端子１２の先端部を矯正部２９に導くようにする。
【００２３】
それから、図９に示すように、アライニングプレート１を端子群１１における端子先端配列面に対して平行なる状態にしてから、第１端子列１３ａの側に向けて（図中の矢印の方向）アライニングプレート１を押し込むことで端子１２の先端部を矯正部２９に入り込ませて矯正部２９により端子１２の先端部の位置矯正をなすようにする。
【００２４】
そして最後に、図９の状態からアライニングプレート１を押し下げる。そうすると、圧入部２３がケース３の圧入部受け部７に圧入するとともに、圧入突起２４が中央部支持台８の圧入突起受け孔９に圧入することでアライニングプレート１がケース３に固定され、これに伴って、図６に示した状態、つまり矯正部２９に入り込んだ端子１２の先端部が拘束開口２６で拘束された状態でアライニングプレート１のプレート表面２１から突出する。そしてこれにより端子１２の先端部の配列に、上記基板におけるスルーホールの配列と精度良く対応する整列を与えることができる。
【００２５】
以上のようなアライニングプレート１は、端子群１１が狭ピッチである場合でも基板用コネクタ２への装着を容易に行うことができ、しかも精度の高い整列を各端子１２の先端部に与えることができる。これは、拾い部２８に矯正部２９を組み合わせてあることによるもので、特に上述のような手順で装着を行うことで拾い部２８と矯正部２９の組合せ構造の利点を活かすことができる。
【００２６】
またアライニングプレート１の上述のような装着容易性は、本実施形態におけるようにＬ字形に曲げられている曲折型の端子１２が複数列で配列されている場合において、より効果的となる。このことを具体的に説明すると以下のとおりである。曲折型の場合、端子列１３の配列間隔が狭ピッチ化すると、端子１２の先端部の配列にばらつきを生じ易くなる。つまり端子列１３の配列方向での端子１２の先端部の位置がまちまちになり易くなる。そして先端部配列にばらつきを生じると、従来のアライニングプレートであると、その装着時に端子１２を拾い難くなり、装着作業に多くの時間を要するようになる。一方、アライニングプレート１であれば、拾い部２８に加えて矯正部２９が設けられているので、端子１２の先端部を拾い部１８で拾い入れて導きつつ矯正部２９に入り込ませ、その矯正部２９に入り込ませた状態で拘束開口２６に挿通させることができる。このため、先端部配列にばらつきがあっても拾い部２８による端子１２の拾い入れを行い易くなり、このことで装着を容易に行うことができ、装着作業の短縮化を図ることができる。
【００２７】
また曲折型では、配列間隔が狭ピッチ化した場合に曲げ角度が９０度＋αというように９０度よりも大きくなることもあるが（図７の例）、このような場合でも、アライニングプレート１であれば、拾い部２８に加えて矯正部２９を設けた構成により、端子１２の拾い入れが容易で、したがって装着が容易となり、装着作業の短縮化を図ることができる。
【００２８】
以上、本発明を実施するための形態について説明したが、これは代表的な例に過ぎず、本発明は、その趣旨を逸脱することのない範囲で様々な形態で実施することができる。
【図面の簡単な説明】
【００２９】
【図１】一実施形態によるアライニングプレートを適用した基板用コネクタの構成を示す図である。
【図２】図１中のＡ方向から見た図である。
【図３】図１中のＢ方向から見た、一部破断面を含む図である。
【図４】一実施形態によるアライニングプレートをプレート表面側から見た図である。
【図５】一実施形態によるアライニングプレートをプレート裏面側から見た図である。
【図６】端子とアライニングプレートの関係を示す図である。
【図７】アライニングプレートの装着の際に拾い部に端子の先端部を拾い入れさせる過程での端子とアライニングプレートの関係を示す図である。
【図８】アライニングプレートの装着の際に拾い部で端子の先端部を矯正部に導く過程での端子とアライニングプレートの関係を示す図である。
【図９】アライニングプレートの装着の際にアライニングプレートを端子先端配列面に対して平行なる状態にする過程での端子とアライニングプレートの関係を示す図である。
【符号の説明】
【００３０】
１      アライニングプレート
２      基板用コネクタ（電気的接続用部品）
１２    端子
２１    プレート表面
２２    プレート裏面
２６    拘束開口
２８    拾い部
２９    矯正部
３３    テーパ面
３４    拾い開口
【図１】
2009104961.tif 000003
【図２】
2009104961.tif 000004
【図３】
2009104961.tif 000005
【図４】
2009104961.tif 000006
【図５】
2009104961.tif 000007
【図６】
2009104961.tif 000008
【図７】
2009104961.tif 000009
【図８】
2009104961.tif 000010
【図９】
2009104961.tif 000011